【手続補正書】
【提出日】平成17年2月7日(2005.2.7)
【手続補正１】
【補正対象書類名】明細書
【補正対象項目名】発明の名称
【補正方法】変更
【補正の内容】
【発明の名称】情報処理装置、文書処理方法、コンピュータ読み取り可能な記憶媒体、及びコンピュータプログラム
【手続補正２】
【補正対象書類名】明細書
【補正対象項目名】特許請求の範囲
【補正方法】変更
【補正の内容】
【特許請求の範囲】
【請求項１】
対象文書の任意の位置に任意の情報を挿入する文書処理機能を有する情報処理装置であって、
上記挿入対象となる複数の情報を順次シフトして対象文書に挿入する挿入手段と、
上記挿入手段で情報挿入された対象文書をプレビュー表示する表示手段と、
上記表示手段で表示された対象文書を保存する保存手段とを備えることを特徴とする情報処理装置。
【請求項２】
上記挿入対象となる情報は、項目別の複数の情報を含み、
上記挿入手段は、外部指定された項目に含まれる複数の情報を次々にシフトして対象文書の外部指定された位置に挿入することを特徴とする請求項１記載の情報処理装置。
【請求項３】
上記挿入手段は、上記指定項目の中で更に外部指定された情報を除外した残りの情報についてのみ、対象文書の外部指定された位置に挿入することを特徴とする請求項２記載の情報処理装置。
【請求項４】
上記挿入手段により情報が挿入された対象文書を印刷出力する出力手段を備えることを特徴とする請求項１記載の情報処理装置。
【請求項５】
対象文書の任意の位置に差込データを挿入する情報処理装置であって、
上記差込データを指定する差込指定手段と、
上記差込指定手段により指定された差込データを対象文書に挿入した状態でプレビュー表示する表示手段と、
上記表示手段で表示される対象文書に対して挿入する差込データを次々にシフトするシフト手段と、
上記表示手段で現在表示されている状態の対象文書をそのまま文書データとして保存する文書保存手段とを含むことを特徴とする情報処理装置。
【請求項６】
対象文書の任意の位置に任意の情報を挿入する文書処理方法であって、
上記挿入対象となる複数の情報を順次シフトして対象文書に挿入する挿入ステップと、
上記挿入ステップにより情報挿入された対象文書をプレビュー表示する表示ステップと、
上記表示ステップにより表示された状態の対象文書を保存する保存ステップとを含むことを特徴とする文書処理方法。
【請求項７】
上記挿入対象となる情報は、項目別の複数の情報を含み、
上記挿入ステップでは、外部指定された項目に含まれる複数の情報を次々にシフトして対象文書の外部指定された位置に挿入することを特徴とする請求項６記載の文書処理方法。
【請求項８】
上記挿入ステップは、上記指定項目の中で更に外部指定された情報を除外した残りの情報についてのみ、対象文書の外部指定された位置に挿入することを特徴とする請求項７記載の文書処理方法。
【請求項９】
上記挿入ステップにて情報が挿入された対象文書を印刷出力する出力ステップを備えることを特徴とする請求項６記載の文書処理方法。
【請求項１０】
対象文書の任意の位置に差込データを挿入する文書処理方法であって、
上記差込データを指定する差込指定ステップと、
上記差込指定ステップにより指定された差込データを対象文書に挿入した状態でプレビュー表示する表示ステップと、
上記表示ステップで表示される対象文書に対して挿入する差込データを次々にシフトするシフトステップと、
上記表示ステップで現在表示されている状態の対象文書をそのまま文書データとして保存する文書保存ステップとを含むことを特徴とする文書処理方法。
【請求項１１】
対象文書の印刷実行時において、対象文書に挿入する差込データから除外する差込データを指定する除外指定ステップと、
上記除外指定ステップにより指定された差込データを除いた差込データのみを対象文書に挿入して印刷処理することを指定する印刷指定ステップと、
上記除外指定ステップ及び上記印刷指定ステップによる指定状態に関する情報を保存する除外情報保存ステップとを含むことを特徴とする請求項１０記載の文書処理方法。
【請求項１２】
対象文書の任意の位置に任意の情報を挿入する文書処理方法をコンピュータ装置に実行させるためのコンピュータプログラムを記憶したコンピュータ読み取り可能な記憶媒体であって、上記文書処理方法は、
上記挿入対象となる複数の情報を順次シフトして対象文書に挿入する挿入ステップと、
上記挿入ステップにより情報挿入された対象文書をプレビュー表示する表示ステップと、
上記表示ステップにより表示された状態の対象文書を保存する保存ステップとを含むことを特徴とするコンピュータ読み取り可能な記憶媒体。
【請求項１３】
対象文書の任意の位置に差込データを挿入する文書処理方法をコンピュータ装置に実行させるためのコンピュータプログラムを記憶したコンピュータ読み取り可能な記憶媒体であって、上記文書処理方法は、
上記差込データを指定する差込指定ステップと、
上記差込指定ステップにより指定された差込データを対象文書に挿入した状態でプレビュー表示する表示ステップと、
上記表示ステップで表示される対象文書に対して挿入する差込データを次々にシフトするシフトステップと、
上記表示ステップで現在表示されている状態の対象文書をそのまま文書データとして保存する文書保存ステップとを含むことを特徴とするコンピュータ読み取り可能な記憶媒体。
【請求項１４】
対象文書の任意の位置に任意の情報を挿入する文書処理方法をコンピュータ装置に実行させるためのコンピュータプログラムであって、上記文書処理方法は、
上記挿入対象となる複数の情報を順次シフトして対象文書に挿入する挿入ステップと、
上記挿入ステップにより情報挿入された対象文書をプレビュー表示する表示ステップと、
上記表示ステップにより表示された状態の対象文書を保存する保存ステップとを含むことを特徴とするコンピュータプログラム。
【請求項１５】
対象文書の任意の位置に差込データを挿入する文書処理方法をコンピュータ装置に実行させるためのコンピュータプログラムであって、上記文書処理方法は、
上記差込データを指定する差込指定ステップと、
上記差込指定ステップにより指定された差込データを対象文書に挿入した状態でプレビュー表示する表示ステップと、
上記表示ステップで表示される対象文書に対して挿入する差込データを次々にシフトするシフトステップと、
上記表示ステップで現在表示されている状態の対象文書をそのまま文書データとして保存する文書保存ステップとを含むことを特徴とするコンピュータプログラム。
【手続補正３】
【補正対象書類名】明細書
【補正対象項目名】０００１
【補正方法】変更
【補正の内容】
【０００１】
【発明の属する技術分野】
本発明は、例えば、文書中（文章中）の所望の位置に対して、データベースからの任意の文字列を順に挿入しながら印刷を行う差込印刷機能による処理を実行するにあたり、データベース中に例外処理が必要なデータが含まれている場合に特に有用な装置或いはシステムに用いられる、情報処理装置、文書処理方法、コンピュータ読み取り可能な記憶媒体、及びコンピュータプログラムに関するものである。
【手続補正４】
【補正対象書類名】明細書
【補正対象項目名】０００６
【補正方法】変更
【補正の内容】
【０００６】
そこで、本発明は、上記の欠点を除去するために成されたもので、差込印刷を効率的に行なえる、情報処理装置、文書処理方法、コンピュータ読み取り可能な記憶媒体、及びコンピュータプログラムを提供することを目的とする。
【手続補正５】
【補正対象書類名】明細書
【補正対象項目名】０００７
【補正方法】変更
【補正の内容】
【０００７】
【課題を解決するための手段】
本発明の情報処理装置は、対象文書の任意の位置に任意の情報を挿入する文書処理機能を有する情報処理装置であって、上記挿入対象となる複数の情報を順次シフトして対象文書に挿入する挿入手段と、上記挿入手段で情報挿入された対象文書をプレビュー表示する表示手段と、上記表示手段で表示された対象文書を保存する保存手段とを備えることを特徴とする。
【手続補正６】
【補正対象書類名】明細書
【補正対象項目名】０００８
【補正方法】変更
【補正の内容】
【０００８】
本発明の情報処理装置の他の態様によれば、対象文書の任意の位置に差込データを挿入する情報処理装置であって、上記差込データを指定する差込指定手段と、上記差込指定手段により指定された差込データを対象文書に挿入した状態でプレビュー表示する表示手段と、上記表示手段で表示される対象文書に対して挿入する差込データを次々にシフトするシフト手段と、上記表示手段で現在表示されている状態の対象文書をそのまま文書データとして保存する文書保存手段とを含むことを特徴とする。
【手続補正７】
【補正対象書類名】明細書
【補正対象項目名】０００９
【補正方法】変更
【補正の内容】
【０００９】
本発明の文書処理方法は、対象文書の任意の位置に任意の情報を挿入する文書処理方法であって、上記挿入対象となる複数の情報を順次シフトして対象文書に挿入する挿入ステップと、上記挿入ステップにより情報挿入された対象文書をプレビュー表示する表示ステップと、上記表示ステップにより表示された状態の対象文書を保存する保存ステップとを含むことを特徴とする。
【手続補正８】
【補正対象書類名】明細書
【補正対象項目名】００１０
【補正方法】変更
【補正の内容】
【００１０】
本発明の文書処理方法の他の態様によれば、対象文書の任意の位置に差込データを挿入する文書処理方法であって、上記差込データを指定する差込指定ステップと、上記差込指定ステップにより指定された差込データを対象文書に挿入した状態でプレビュー表示する表示ステップと、上記表示ステップで表示される対象文書に対して挿入する差込データを次々にシフトするシフトステップと、上記表示ステップで現在表示されている状態の対象文書をそのまま文書データとして保存する文書保存ステップとを含むことを特徴とする。
【手続補正９】
【補正対象書類名】明細書
【補正対象項目名】００１１
【補正方法】変更
【補正の内容】
【００１１】
本発明のコンピュータ読み取り可能な記憶媒体は、対象文書の任意の位置に任意の情報を挿入する文書処理方法をコンピュータ装置に実行させるためのコンピュータプログラムを記憶したコンピュータ読み取り可能な記憶媒体であって、上記文書処理方法は、上記挿入対象となる複数の情報を順次シフトして対象文書に挿入する挿入ステップと、上記挿入ステップにより情報挿入された対象文書をプレビュー表示する表示ステップと、上記表示ステップにより表示された状態の対象文書を保存する保存ステップとを含むことを特徴とする。
【手続補正１０】
【補正対象書類名】明細書
【補正対象項目名】００１２
【補正方法】変更
【補正の内容】
【００１２】
本発明のコンピュータ読み取り可能な記憶媒体の他の態様によれば、対象文書の任意の位置に差込データを挿入する文書処理方法をコンピュータ装置に実行させるためのコンピュータプログラムを記憶したコンピュータ読み取り可能な記憶媒体であって、上記文書処理方法は、上記差込データを指定する差込指定ステップと、上記差込指定ステップにより指定された差込データを対象文書に挿入した状態でプレビュー表示する表示ステップと、上記表示ステップで表示される対象文書に対して挿入する差込データを次々にシフトするシフトステップと、上記表示ステップで現在表示されている状態の対象文書をそのまま文書データとして保存する文書保存ステップとを含むことを特徴とする。
【手続補正１１】
【補正対象書類名】明細書
【補正対象項目名】００１３
【補正方法】変更
【補正の内容】
【００１３】
本発明のコンピュータプログラムは、対象文書の任意の位置に任意の情報を挿入する文書処理方法をコンピュータ装置に実行させるためのコンピュータプログラムであって、上記文書処理方法は、上記挿入対象となる複数の情報を順次シフトして対象文書に挿入する挿入ステップと、上記挿入ステップにより情報挿入された対象文書をプレビュー表示する表示ステップと、上記表示ステップにより表示された状態の対象文書を保存する保存ステップとを含むことを特徴とする。
【手続補正１２】
【補正対象書類名】明細書
【補正対象項目名】００１４
【補正方法】変更
【補正の内容】
【００１４】
本発明のコンピュータプログラムの他の態様によれば、対象文書の任意の位置に差込データを挿入する文書処理方法をコンピュータ装置に実行させるためのコンピュータプログラムであって、上記文書処理方法は、上記差込データを指定する差込指定ステップと、上記差込指定ステップにより指定された差込データを対象文書に挿入した状態でプレビュー表示する表示ステップと、上記表示ステップで表示される対象文書に対して挿入する差込データを次々にシフトするシフトステップと、上記表示ステップで現在表示されている状態の対象文書をそのまま文書データとして保存する文書保存ステップとを含むことを特徴とする。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】